(57)【特許請求の範囲】
【請求項１】
ユーザ機器における方法であって、
優先順位低下要求を記憶することと、
前記ユーザ機器における公衆移動通信網の選択に応じて、前記ユーザ機器において、前記優先順位低下要求を除去または保留することと
を含む、方法。
【請求項２】
前記優先順位低下要求とともに、前記優先順位低下を要求する公衆移動通信網の公衆移動通信網識別を記憶することをさらに含む、請求項１に記載の方法。
【請求項３】
前記公衆移動通信網識別は、前記ユーザ機器においてシステム情報メッセージ内で受信される、請求項２に記載の方法。
【請求項４】
前記方法は、前記除去または保留に先立って、前記公衆移動通信網の選択が、非アクセス階層の要求に応じて行われることを決定することをさらに含む、請求項１に記載の方法。
【請求項５】
前記優先順位低下要求とともに記憶された前記公衆移動通信網識別に関連付けられた公衆移動通信網識別のリストを記憶することをさらに含む、請求項２に記載の方法。
【請求項６】
前記リストは、前記優先順位低下を要求する公衆移動通信網と無線ネットワークを共有する公衆移動通信網の識別に制限されている、請求項５に記載の方法。
【請求項７】
前記方法は、前記除去または保留に先立って、前記選択された公衆移動通信網が、前記公衆移動通信網識別のリスト外の識別を有することを決定することをさらに含む、請求項５に記載の方法。
【請求項８】
前記方法は、前記除去または保留に先立って、前記ユーザ機器が、前記選択された公衆移動通信網内に好適なセルを発見することが可能であることを決定することをさらに含む、請求項１に記載の方法。
【請求項９】
前記除去または保留後、前記優先順位低下要求のためのタイマを停止することをさらに含む、請求項１に記載の方法。
【請求項１０】
前記保留後、前記優先順位低下要求のためのタイマが起動し続けることを可能にすることをさらに含む、請求項１に記載の方法。
【請求項１１】
前記ユーザ機器が任意の優先順位低下要求とともに記憶された任意の公衆移動通信網に戻ると、前記優先順位低下要求を復帰させることをさらに含む、請求項５に記載の方法。
【請求項１２】
ユーザ機器であって、
プロセッサと、
メモリと、
通信サブシステムと
を備え、
前記ユーザ機器は、
優先順位低下要求を記憶することと、
前記ユーザ機器における公衆移動通信網の選択に応じて、前記ユーザ機器において、前記優先順位低下要求を除去または保留することと
を行うように構成されている、ユーザ機器。
【請求項１３】
前記ユーザ機器は、前記優先順位低下要求とともに、前記優先順位低下を要求する公衆移動通信網の公衆移動通信網識別を記憶するようにさらに構成されている、請求項１２に記載のユーザ機器。
【請求項１４】
前記公衆移動通信網識別は、前記ユーザ機器においてシステム情報メッセージ内で受信される、請求項１３に記載のユーザ機器。
【請求項１５】
前記ユーザ機器は、前記優先順位低下要求の除去または保留に先立って、前記公衆移動通信網の選択が、非アクセス階層の要求に応じて行われることを決定するようにさらに構成されている、請求項１２に記載のユーザ機器。
【請求項１６】
前記ユーザ機器は、前記優先順位低下要求とともに記憶された前記公衆移動通信網識別に関連付けられた公衆移動通信網識別のリストを記憶するようにさらに構成されている、請求項１３に記載のユーザ機器。
【請求項１７】
前記リストは、前記優先順位低下を要求する公衆移動通信網と無線ネットワークを共有する公衆移動通信網の識別に制限されている、請求項１６に記載のユーザ機器。
【請求項１８】
前記ユーザ機器は、前記優先順位低下要求の除去または保留に先立って、前記選択された公衆移動通信網が、前記公衆移動通信網識別のリスト外の識別を有することを決定するようにさらに構成されている、請求項１６に記載のユーザ機器。
【請求項１９】
前記ユーザ機器は、前記優先順位低下要求の除去または保留に先立って、前記ユーザ機器が、前記選択された公衆移動通信網内で好適なセルを発見することが可能であることを決定するようにさらに構成されている、請求項１２に記載のユーザ機器。
【請求項２０】
前記ユーザ機器は、前記除去または保留後、前記優先順位低下要求のためのタイマを停止するようにさらに構成されている、請求項１２に記載のユーザ機器。
【請求項２１】
前記ユーザ機器は、前記保留後、前記優先順位低下要求のためのタイマが起動し続けることを可能にするようにさらに構成されている、請求項１２に記載のユーザ機器。
【請求項２２】
前記ユーザ機器は、前記ユーザ機器が、任意の優先順位低下要求とともに記憶された任意の公衆移動通信網に戻ると、前記優先順位低下要求を復帰させるようにさらに構成されている、請求項１６に記載のユーザ機器。
【請求項２３】
命令を記憶している非一過性コンピュータ読み取り可能な媒体であって、前記命令は、ユーザ機器によって実行されると、
優先順位低下要求を記憶することと、
前記ユーザ機器における公衆移動通信網の選択に応じて、前記ユーザ機器において、前記優先順位低下要求を除去または保留することと
を含む動作を前記ユーザ機器に行わせる、非一過性コンピュータ読み取り可能な媒体。
【請求項２４】
前記動作は、前記優先順位低下要求とともに、前記優先順位低下を要求する前記公衆移動通信網の公衆移動通信網識別を記憶することをさらに含む、請求項２３に記載の非一過性コンピュータ読み取り可能な媒体。
【請求項２５】
前記公衆移動通信網識別は、前記ユーザ機器においてシステム情報メッセージ内で受信される、請求項２４に記載の非一過性コンピュータ読み取り可能な媒体。
【請求項２６】
前記動作は、前記除去または保留に先立って、前記公衆移動通信網の選択が、非アクセス階層の要求に応じて行われることを決定することをさらに含む、請求項２３に記載の非一過性コンピュータ読み取り可能な媒体。
【請求項２７】
前記動作は、前記優先順位低下要求とともに記憶された前記公衆移動通信網識別に関連付けられた公衆移動通信網識別のリストを記憶することをさらに含む、請求項２４に記載の非一過性コンピュータ読み取り可能な媒体。
【請求項２８】
前記リストは、前記優先順位低下を要求する公衆移動通信網と無線ネットワークを共有する公衆移動通信網の識別に制限されている、請求項２７に記載の非一過性コンピュータ読み取り可能な媒体。
【請求項２９】
前記動作は、前記除去または保留に先立って、前記選択された公衆移動通信網が、前記公衆移動通信網識別のリスト外の識別を有することを決定することをさらに含む、請求項２７に記載の非一過性コンピュータ読み取り可能な媒体。
【請求項３０】
前記動作は、前記除去または保留に先立って、前記ユーザ機器が、前記選択された公衆移動通信網内に好適なセルを発見することが可能であることを決定することをさらに含む、請求項２３に記載の非一過性コンピュータ読み取り可能な媒体。
【請求項３１】
前記動作は、前記除去または保留後、前記優先順位低下要求のためのタイマを停止することをさらに含む、請求項２３に記載の非一過性コンピュータ読み取り可能な媒体。
【請求項３２】
前記動作は、前記保留後、前記優先順位低下要求のためのタイマが起動し続けることを可能にすることをさらに含む、請求項２３に記載の非一過性コンピュータ読み取り可能な媒体。
【請求項３３】
前記動作は、前記ユーザ機器が任意の優先順位低下要求とともに記憶された任意の公衆移動通信網に戻ると、前記優先順位低下要求を復帰させることをさらに含む、請求項２７に記載の非一過性コンピュータ読み取り可能な媒体。
【発明の詳細な説明】
【技術分野】
【０００１】
本開示は、モバイルネットワーク周波数または無線アクセス技術選択に関し、特に、周波数または無線アクセス技術（ＲＡＴ）の優先順位低下に関する。
【背景技術】
【０００２】
モバイルネットワークでは、ネットワークノードは、現在の周波数または無線アクセス技術に対する優先順位低下要求をユーザ機器（ＵＥ）に送信し得る。そのような要求は、ネットワーク輻輳を緩和するため、またはオーバーロード制御を提供するために行われ得る。
【０００３】
しかしながら、優先順位低下要求が、ＵＥにおいて、一時的に、現在の周波数またはＲＡＴを低優先度として指定し得るが、ＵＥが、優先順位低下後でも、より高い優先度層を再選択するまでに長時間かかり得る。
【０００４】
さらに、公衆移動通信網（ＰＬＭＮ）の変更後も、優先順位が低下された周波数またはＲＡＴは、その周波数が、新しいＰＬＭＮにおいて再使用される場合でも、依然として、優先順位が低下され得る。
【０００５】
加えて、限定加入者グループ（ＣＳＧ）セルが、優先順位が低下された同一の周波数を利用している場合、これがまた、輻輳を緩和させるであろう場合でも、ＵＥは、ＣＳＧセルに接続することができないこともある。
【０００６】
さらに、接続モードにあるＵＥは、接続が解除された場合、または無線リンクの失敗後、優先順位が低下されたＲＡＴまたは周波数にアクセスすることを試み得る。さらに、ネットワーク条件は、急速に変化し得、優先順位低下は、以前に信号伝達された持続時間の間、必要ではないこともある。
【発明の概要】
【課題を解決するための手段】
【０００７】
本開示は、図面を参照して、より理解されるであろう。
本発明はさらに、例えば、以下を提供する。
（項目１）
ユーザ機器における方法であって、
優先順位低下要求を記憶することと、
前記ユーザ機器における公衆移動通信網の選択に応じて、前記ユーザ機器において、前記優先順位低下要求を除去または保留することと
を含む、方法。
（項目２）
前記優先順位低下要求とともに、前記優先順位低下を要求する公衆移動通信網の公衆移動通信網識別を記憶することをさらに含む、項目１に記載の方法。
（項目３）
前記公衆移動通信網識別は、前記ユーザ機器においてシステム情報メッセージ内で受信される、項目２に記載の方法。
（項目４）
前記方法は、前記除去または保留に先立って、前記公衆移動通信網の選択が、非アクセス階層の要求に応じて行われることを決定することをさらに含む、項目１に記載の方法。
（項目５）
前記優先順位低下要求とともに記憶された前記公衆移動通信網識別に関連付けられた公衆移動通信網識別のリストを記憶することをさらに含む、項目２に記載の方法。
（項目６）
前記リストは、前記優先順位低下を要求する公衆移動通信網と無線ネットワークを共有する公衆移動通信網の識別に制限されている、項目５に記載の方法。
（項目７）
前記方法は、前記除去または保留に先立って、前記選択された公衆移動通信網が、前記公衆移動通信網識別のリスト外の識別を有することを決定することをさらに含む、項目５に記載の方法。
（項目８）
前記方法は、前記除去または保留に先立って、前記ユーザ機器が、前記選択された公衆移動通信網内に好適なセルを発見することが可能であることを決定することをさらに含む、項目１に記載の方法。
（項目９）
前記除去または保留後、前記優先順位低下要求のためのタイマを停止することをさらに含む、項目１に記載の方法。
（項目１０）
前記保留後、前記優先順位低下要求のためのタイマが起動し続けることを可能にすることをさらに含む、項目１に記載の方法。
（項目１１）
前記ユーザ機器が任意の優先順位低下要求とともに記憶された任意の公衆移動通信網に戻ると、前記優先順位低下要求を復帰させることをさらに含む、項目５に記載の方法。
（項目１２）
ユーザ機器であって、
プロセッサと、
メモリと、
通信サブシステムと
を備え、
前記ユーザ機器は、
優先順位低下要求を記憶することと、
前記ユーザ機器における公衆移動通信網の選択に応じて、前記ユーザ機器において、前記優先順位低下要求を除去または保留することと
を行うように構成されている、ユーザ機器。
（項目１３）
前記ユーザ機器は、前記優先順位低下要求とともに、前記優先順位低下を要求する公衆移動通信網の公衆移動通信網識別を記憶するようにさらに構成されている、項目１２に記載のユーザ機器。
（項目１４）
前記公衆移動通信網識別は、前記ユーザ機器においてシステム情報メッセージ内で受信される、項目１３に記載のユーザ機器。
（項目１５）
前記ユーザ機器は、前記優先順位低下要求の除去または保留に先立って、前記公衆移動通信網の選択が、非アクセス階層の要求に応じて行われることを決定するようにさらに構成されている、項目１２に記載のユーザ機器。
（項目１６）
前記ユーザ機器は、前記優先順位低下要求とともに記憶された前記公衆移動通信網識別に関連付けられた公衆移動通信網識別のリストを記憶するようにさらに構成されている、項目１３に記載のユーザ機器。
（項目１７）
前記リストは、前記優先順位低下を要求する公衆移動通信網と無線ネットワークを共有する公衆移動通信網の識別に制限されている、項目１６に記載のユーザ機器。
（項目１８）
前記ユーザ機器は、前記優先順位低下要求の除去または保留に先立って、前記選択された公衆移動通信網が、前記公衆移動通信網識別のリスト外の識別を有することを決定するようにさらに構成されている、項目１６に記載のユーザ機器。
（項目１９）
前記ユーザ機器は、前記優先順位低下要求の除去または保留に先立って、前記ユーザ機器が、前記選択された公衆移動通信網内で好適なセルを発見することが可能であることを決定するようにさらに構成されている、項目１２に記載のユーザ機器。
（項目２０）
前記ユーザ機器は、前記除去または保留後、前記優先順位低下要求のためのタイマを停止するようにさらに構成されている、項目１２に記載のユーザ機器。
（項目２１）
前記ユーザ機器は、前記保留後、前記優先順位低下要求のためのタイマが起動し続けることを可能にするようにさらに構成されている、項目１２に記載のユーザ機器。
（項目２２）
前記ユーザ機器は、前記ユーザ機器が、任意の優先順位低下要求とともに記憶された任意の公衆移動通信網に戻ると、前記優先順位低下要求を復帰させるようにさらに構成されている、項目１６に記載のユーザ機器。
（項目２３）
ユーザ機器における方法であって、
優先順位低下要求を受信することと、
前記ユーザ機器において、任意のセルへのキャンプオン状態に遷移することと
を含む、方法。
（項目２４）
前記ユーザ機器は、任意のセルへのキャンプオン状態になると、優先順位が低下されておらず、かつシステム情報内で発見される周波数および無線アクセス技術における好適なセルの発見を試みる、項目２３に記載の方法。
（項目２５）
前記ユーザ機器は、好適なセルが発見されると、通常キャンプオン状態に遷移する、項目２４に記載の方法。
（項目２６）
前記ユーザ機器は、任意のセルへのキャンプオン状態になると、前記優先順位低下要求内の周波数または無線アクセス技術を最低優先度として取り扱うことによって、優先度順序において、前記システム情報内で発見される周波数および無線アクセス技術における好適なセルの発見を試みる、項目２３に記載の方法。
（項目２７）
前記ユーザ機器は、好適なセルが発見されると、通常キャンプオン状態に遷移する、項目２６に記載の方法。
（項目２８）
ユーザ機器であって、
プロセッサと、
通信サブシステムと
を備え、
前記ユーザ機器は、
優先順位低下要求を受信することと、
前記ユーザ機器において、任意のセルへのキャンプオン状態に遷移することと
を行うように構成されている、ユーザ機器。
（項目２９）
前記ユーザ機器は、任意のセルへのキャンプオン状態になると、優先順位が低下されておらず、かつシステム情報内で発見される周波数および無線アクセス技術における好適なセルの発見を試みるように構成されている、項目２８に記載のユーザ機器。
（項目３０）
前記ユーザ機器は、好適なセルが発見されると、通常キャンプオン状態に遷移するように構成されている、項目２９に記載のユーザ機器。
（項目３１）
前記ユーザ機器は、任意のセルへのキャンプオン状態になると、最低優先度として、前記優先順位低下要求内の、システム情報内で見出された周波数または無線アクセス技術を取り扱うことによって、優先度順序において、周波数および無線アクセス技術における好適なセルの発見を試みるように構成されている、項目２８に記載のユーザ機器。
（項目３２）
前記ユーザ機器は、好適なセルが発見されると、通常キャンプオン状態に遷移するように構成されている、項目３１に記載のユーザ機器。
（項目３３）
ユーザ機器における方法であって、
周波数または無線アクセス技術に対する優先度を受信することと、
好適なセルの発見を試み、優先度の順序において、システム情報内でリスト化された無線アクセス技術の周波数を試すことと
を含む、方法。
（項目３４）
前記優先度を受信することは、優先順位低下要求内の優先度の変更から生じる、項目３３に記載の方法。
（項目３５）
前記試みることは、所定の期間の間、行われる、項目３３に記載の方法。
（項目３６）
前記システム情報内の優先度の順序は、前記優先順位低下要求によって修正される、  項目３４に記載の方法。
（項目３７）
前記ユーザ機器は、限定加入者グループセルからマクロセルを再選択する場合、システム情報内でリスト化されており、かつ優先順位が低下された周波数または無線アクセス技術ではない周波数における好適なセルの発見を試みる、項目３４に記載の方法。
（項目３８）
ユーザ機器であって、
プロセッサと、
通信サブシステムと
を備え、
前記ユーザ機器は、
周波数または無線アクセス技術に対する優先度を受信することと、
好適なセルの発見を試み、優先度の順序において、システム情報内でリスト化された無線アクセス技術の周波数を試すことと
を行うように構成されている、ユーザ機器。
（項目３９）
前記ユーザ機器は、優先順位低下要求内の優先度の変更から生じる優先度を受信するように構成されている、項目３８に記載のユーザ機器。
（項目４０）
前記ユーザ機器は、所定の期間の間、試みるように構成されている、項目３８に記載のユーザ機器。
（項目４１）
前記システム情報内の優先度の順序は、前記優先順位低下要求によって修正される、項目３９に記載のユーザ機器。
（項目４２）
前記ユーザ機器は、限定加入者グループセルからマクロセルを再選択する場合、システム情報内でリスト化されており、かつ優先順位が低下された周波数または無線アクセス技術ではない周波数における好適なセルの発見を試みる、項目３９に記載のユーザ機器。
（項目４３）
ユーザ機器における方法であって、
マクロセルからの優先順位低下要求を記憶することと、
前記優先順位低下要求内の周波数を有する限定加入者グループセルに入ることと、
前記ユーザ機器が前記限定加入者グループセルを検出する間、前記周波数を最高優先度周波数として構成することと、
前記限定加入者グループセルから、サービス供給周波数または無線アクセス技術に対する優先順位低下要求を受信することと、
前記限定加入者グループセルに対する優先順位低下の指示を記憶することと、
優先順位が低下される周波数または無線アクセス技術における限定加入者グループセルの再選択を回避することと
を含む、方法。
（項目４４）
前記限定加入者グループセルに入ると、前記限定加入者セルに対する優先順位低下の指示が記憶されているかどうかをチェックすることと、
前記指示が記憶されている場合、異なる周波数または無線アクセス技術を再選択することと
をさらに含む、項目４３に記載の方法。
（項目４５）
前記ユーザ機器は、限定加入者グループセルからマクロセルを再選択する場合、システム情報内でリスト化されており、かつ優先順位が低下された周波数または無線アクセス技術ではない周波数における好適なセルの発見を試みる、項目４３に記載の方法。
（項目４６）
ユーザ機器であって、
プロセッサと、
メモリと、
通信サブシステムと
を備え、
前記ユーザ機器は、
マクロセルからの優先順位低下要求を記憶することと、
前記優先順位低下要求内の周波数を有する限定加入者グループセルに入ることと、
前記ユーザ機器が、前記限定加入者グループセルを検出している間、前記周波数を最高優先度周波数として構成することと、
前記限定加入者グループセルから、前記サービス供給周波数に対する優先順位低下要求を受信することと、
前記限定加入者グループセルに対する優先順位低下の指示を記憶することと、
優先順位が低下されていない周波数または無線アクセス技術における限定加入者グループセルの再選択を回避することと
を行うように構成されている、ユーザ機器。
（項目４７）
前記ユーザ機器は、
前記限定加入者グループセルに入ると、前記限定加入者セルに対する優先順位低下の指示が記憶されているかどうかをチェックすることと、
前記指示が記憶されている場合、異なる周波数または無線アクセス技術を再選択することと
を行うようにさらに構成されている、項目４６に記載のユーザ機器。
（項目４８）
前記ユーザ機器は、限定加入者グループセルからマクロセルを再選択する場合、システム情報内でリスト化されており、かつ優先順位が低下された周波数または無線アクセス技術ではない周波数における好適なセルの発見を試みる、項目４７に記載のユーザ機器。
（項目４９）
ユーザ機器における方法であって、
アイドルモードに入ると、優先順位が低下されていない周波数および無線アクセス技術のセルを選択することを試行することを含む、方法。
（項目５０）
前記試行に先立って、ネットワーク要素と接続モードにある間、優先順位低下要求を含むメッセージを受信することをさらに含む、項目４９に記載の方法。
（項目５１）
前記メッセージは、接続解除メッセージである、項目４９に記載の方法。
（項目５２）
前記メッセージを受信すると、優先順位低下要求のためのタイマを始動させることをさらに含む、項目４９に記載の方法。
（項目５３）
低優先度周波数として、優先順位低下要求内の周波数および無線アクセス技術をランク付けすることは、前記タイマが起動している間のみ生じる、項目５２に記載の方法。
（項目５４）
ユーザ機器であって、
プロセッサと、
通信サブシステムと
を備え、
前記ユーザ機器は、
アイドルモードに入ると、優先順位が低下されていない周波数および無線アクセス技術のセルを選択することを試行するように構成されている、ユーザ機器。
（項目５５）
前記ユーザ機器は、前記試行に先立って、ネットワーク要素と接続モードにある間、優先順位低下要求を含むメッセージを受信するようにさらに構成されている、項目５４に記載のユーザ機器。
（項目５６）
前記メッセージは、接続解除メッセージである、項目５４に記載のユーザ機器。
（項目５７）
前記ユーザ機器は、前記メッセージを受信すると、優先順位低下要求のためのタイマを始動させるようにさらに構成されている、項目５４に記載のユーザ機器。
（項目５８）
低優先度周波数として、優先順位低下要求内で周波数および無線アクセス技術をランク付けすることは、前記タイマが起動している間のみ生じる、項目５７に記載のユーザ機器。
【図面の簡単な説明】
【０００８】
【図１】図１は、優先順位低下要求が記憶されると、好適なセルの発見をするユーザ機器における試行を示す、流れ図である。
【図２】図２は、優先順位低下要求が記憶されると、好適なセルの発見をするユーザ機器における試行を示す、流れ図のさらなる実施形態である。
【図３】図３は、優先順位低下による優先度の変更が行われると、好適なセルを発見しようとするユーザ機器における試行を示す、流れ図である。
【図４】図４は、優先順位低下要求の例示的除去または保留を示す、流れ図である。
【図５】図５は、優先順位が低下された周波数を使用して、限定加入者グループに対する衝突を解決するための実施例を示す、流れ図である。
【図６】図６は、ＵＥから限定加入者グループへの周波数の信号伝達およびＵＥ上の測定の構成を示す、データ流れ図である。
【図７】図７は、例示的ネットワーク要素の簡略化されたブロック図である。
【図８】図８は、例示的ユーザ機器のブロック図である。
【発明を実施するための形態】
【０００９】
本開示は、ユーザ機器における方法であって、優先順位低下要求を記憶することと、ユーザ機器における公衆移動通信網の選択に応じて、ユーザ機器において、優先順位低下要求を除去または保留することとを含む方法を提供する。
【００１０】
本開示はさらに、ユーザ機器であって、プロセッサと、メモリと、通信サブシステムとを備え、優先順位低下要求を記憶し、ユーザ機器における新しい公衆移動通信網への変更に応じて、ユーザ機器において、優先順位低下要求を除去または保留するように構成されている、ユーザ機器を提供する。
【００１１】
本開示はさらに、ユーザ機器における方法であって、優先順位低下要求を受信することと、ユーザ機器において、任意のセルへのキャンプオン状態に遷移することとを含む、方法を提供する。
【００１２】
本開示はさらに、ユーザ機器であって、プロセッサと、通信サブシステムとを備え、優先順位低下要求を受信し、ユーザ機器において、任意のセルへのキャンプオン状態に遷移するように構成されているユーザ機器を提供する。
【００１３】
本開示はさらに、ユーザ機器における方法であって、周波数または無線アクセス技術に対する優先度を受信することと、好適なセルの発見を試み、優先度の順序において、システム情報内でリスト化された無線アクセス技術の周波数を試すこととを含む、方法を提供する。
【００１４】
本開示はさらに、ユーザ機器であって、プロセッサと、通信サブシステムとを備え、周波数または無線アクセス技術に対する優先度を受信し、好適なセルの発見を試み、優先度の順序において、システム情報内でリスト化された無線アクセス技術の周波数を試すように構成されている、ユーザ機器を提供する。
【００１５】
本開示はさらに、ユーザ機器における方法であって、マクロセルからの優先順位低下要求を記憶することと、優先順位低下要求内の周波数を有する限定加入者グループセルに入ることと、ユーザ機器が限定加入者グループセルを検出する間、周波数を最高優先度周波数として構成することと、限定加入者グループセルから、サービス供給周波数に対する優先順位低下要求を受信することと、限定加入者グループセルに対する優先順位低下の指示を記憶することと、優先順位が低下される周波数または無線アクセス技術における限定加入者グループセルの再選択を回避することとを含む、方法を提供する。
【００１６】
本開示はさらに、ユーザ機器であって、プロセッサと、メモリと、通信サブシステムとを備え、マクロセルからの優先順位低下要求を記憶し、優先順位低下要求内の周波数を有する限定加入者グループセルに入り、ユーザ機器が、限定加入者グループセルを検出している間、周波数を最高優先度周波数として構成し、限定加入者グループセルから、サービス供給周波数に対する優先順位低下要求を受信し、限定加入者グループセルに対する優先順位低下の指示を記憶し、優先順位が低下された周波数または無線アクセス技術における限定加入者グループセルの再選択を回避するように構成されている、ユーザ機器を提供する。
【００１７】
本開示はさらに、ユーザ機器における方法であって、ネットワーク要素と接続モードにある間、優先順位低下要求を含むメッセージを受信することと、アイドルモードに入ると、低優先度周波数として、優先順位低下要求内の周波数および無線アクセス技術をランク付けることとを提供する。
【００１８】
本開示はさらに、ユーザ機器であって、プロセッサと、通信サブシステムとを備え、ネットワーク要素と接続モードにある間、優先順位低下要求を含むメッセージを受信し、アイドルモードに入ると、低優先度周波数として、優先順位低下要求内の周波数および無線アクセス技術をランク付けるように構成されているユーザ機器を提供する。
【００１９】
本開示は、第３世代パートナシッププロジェクト（３ＧＰＰ）ロング・ターム・エボリューション（ＬＴＥ）技術仕様書に関係して後述されるが、しかしながら、本開示は、そのような技術に制限されず、本開示の実施形態は、同様のメッセージングを利用する他の技術とともに使用され得る。
【００２０】
ＵＥと進化型汎用地上無線接続網（Ｅ−ＵＴＲＡＮ）との間の無線インターフェースならびに無線ネットワークとＥ−ＵＴＲＡＮとの間の無線インターフェースのための無線リソース制御プロトコルは、３ＧＰＰ技術仕様書（ＴＳ）３６．３３１，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  （Ｅ−ＵＴＲＡ）；  Ｒａｄｉｏ  Ｒｅｓｏｕｒｃｅ  Ｃｏｎｔｒｏｌ  （ＲＲＣ）；  Ｐｒｏｔｏｃｏｌ  Ｓｐｅｃｉｆｉｃａｔｉｏｎ”（バージョン１１．２．０、２０１３年１月３日、その内容は、参照することによって本明細書に組み込まれる）に定義されている。３ＧＰＰ  ＴＳ３６．３３１技術仕様書では、ＲＲＣＣｏｎｎｅｃｔｉｏｎＲｅｊｅｃｔメッセージが、ＲＲＣ接続確立試行を拒否するために使用される。
【００２１】
３ＧＰＰ  ＴＳ  ３６．３１１仕様のバージョン１１．２．０では、優先順位低下要求は、ＲＲＣＣｏｎｎｅｃｔｉｏｎＲｅｊｅｃｔメッセージ内に含まれる。この優先順位低下要求は、特定の期間の間、ＲＲＣ接続要求が行われた周波数の優先順位低下を要求するために使用され得る。
【００２２】
優先順位低下要求は、以下の表１に太字で示される。
【００２３】
【表１】
0005801016.tif 000002
【００２４】
上の表１に見られるように、優先順位低下要求は、接続のタイプ（周波数またはｅ−ｕｔｒａ）ならびに特定の期間に対するものであり得る。
【００２５】
優先順位低下要求に関するＲＲＣＣｏｎｎｅｃｔｉｏｎＲｅｊｅｃｔフィールドの説明は、以下の表２に示される。
【００２６】
【表２】
0005801016.tif 000003
【００２７】
上の表２に見られるように、優先順位低下要求は、現在の周波数または無線アクセス技術の優先順位が低下されるべきかどうかを示す。さらに、無線アクセス技術の優先順位が低下されるべき時間に対応する分単位の値を有するタイマが、数え上げられる。
【００２８】
ＵＥが、優先順位低下要求を受信する場合、ＵＥは、専用または共通信号伝達を通して受信される任意の他のセル再選択絶対優先度割当に関係なく、優先順位低下タイマが切れるまで、優先順位低下要求を記憶する。さらに、優先順位低下要求は、Ｅ−ＵＴＲＡまたは他の無線アクセス技術における任意のＲＲＣ接続にかかわらず、記憶される。
【００２９】
ＵＥは、現在の搬送波周波数および優先順位低下要求を有する以前に受信したＲＲＣ接続要求拒否メッセージに起因して記憶された周波数、または、Ｅ−ＵＴＲＡの周波数の全てを、キャンプオンされている無線アクセス技術に関係なく、タイマＴ３２５が起動している間、最低優先度周波数であると考える。最低優先度周波数は、ユーザ機器に対する８つのネットワーク構成値より低い。
【００３０】
しかしながら、優先順位低下要求は、典型的には、加入者グループを形成する、制限数のＵＥを有する、フェムトセルである限定加入者グループ（ＣＳＧ）セル、ならびにエリア内のブロードキャストおよびマルチキャストサービスの配信を提供するように設計されるマルチメディアブロードキャストマルチキャストサービス（ＭＢＭＳ）のためのセル再選択優先度に影響を及ぼし得る。
【００３１】
ＵＥが、優先順位が低下される周波数にキャンプオンしていると仮定する、ＭＢＭＳの場合に及ぼされる影響に対処するための２つのアプローチは、優先順位低下がその周波数に適用されている間、関心周波数に対して、最高優先度を適用すること、または優先順位低下がその周波数に適用されている間、関心周波数に対して、最低優先度を適用することである。
【００３２】
第１のアプローチの場合、ＵＥは、ＵＥが優先順位低下コマンドを受信した後でも、ＲＲＣ＿ＩＤＬＥにおいて、サービス保留を被ることなく、ＭＢＭＳサービスを受信し続けることができる。しかしながら、ＭＢＭＳユーザは、拡張アクセスクラス規制（ＡＣＢ）が開始されるまで、ＲＲＣ接続を繰り返し再確立することを試み得る。
【００３３】
第２のアプローチでは、ＭＢＭＳサービスは、ＵＥが優先順位低下をＭＢＭＳ周波数に適用するので、保留される。したがって、優先順位が低下されていない周波数上の確立接続を受信すると、ネットワークは、ＵＥからのＭＢＭＳ関心指示に基づいて、輻輳がＭＢＭＳ周波数上で生じているとき、ＵＥが輻輳ＭＢＭＳ周波数にハンドオーバされ得るかどうかを決定することによって、接続されたＵＥを制御するように選定することができる。
【００３４】
第２のシナリオの場合、ＵＥは、ＭＢＭＳ周波数に関する優先順位低下を受信後、接続確立が成功する可能性が高い非ＭＢＭＳ周波数上で接続を確立することができる。
【００３５】
ＵＥは、ＭＢＭＳ周波数の優先順位低下のためのソリューションを実装し得る。オペレータが、新しい優先順位低下機構の使用につながる、極度のオーバーロードの場合、厳しいＡＣＢを使用すると仮定すると、ユニキャストが好ましい間、そのセルに留まるＵＥは、ＵＥに対する悪影響を被り得る。したがって、ＲＲＣＣｏｎｎｅｃｔｉｏｎＲｅｊｅｃｔ優先順位低下と衝突するＭＢＭＳ優先度のため、ＬＴＥ周波数に対する優先度に衝突が存在する場合、ＵＥ挙動は、ＵＥがユニキャストを優先する、またはＵＥがＭＢＭＳを優先度する場合のために別個に規定され得る。
【００３６】
ＣＳＧの場合、いくつかの実施形態では、ＵＥは、周波数の優先順位が低下された後でも、依然として、ＣＳＧ周波数に接続することを試みるためのスマートポリシーを実装するようにタスクが課され得る。しかしながら、そのような知能を実装していないＵＥは、ＣＳＧセルへのそのような接続を確立することを試すことはなく、したがって、依然として、別の周波数または無線アクセス技術上でサービスを受信するであろう。したがって、いくつかの実施形態では、ＵＥは、ＣＳＧ部材セルの適用範囲内にあるとき、ＣＳＧ周波数の優先度を適用するように要求され得る。
【００３７】
さらに、３ＧＰＰ  ＴＳ  ３６．３０４，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｕｓｅｒ  Ｅｑｕｉｐｍｅｎｔ（ＵＥ）  Ｐｒｏｃｅｄｕｒｅｓ  ｉｎ  Ｉｄｌｅ  Ｍｏｄｅ”（バージョン１１．２．０、２０１３年１月３日、その内容は、参照することによって本明細書に組み込まれる）は、「任意のセル状態」を提供する。「任意のセル選択」および「任意のセルへのキャンプオン状態」の定義は、３ＧＰＰ  ＴＳ  ３６．３０４仕様書の第５．２．８節および第５．２．９節に提供されている。基本的に、任意のセル選択状態では、ＵＥは、キャンプオンする任意のＰＬＭＮの任意の容認可能セルの発見を試み、ＵＥによってサポートされる全ＲＡＴを試し、最初に、高品質セルを検索する。任意のセルへのキャンプオン状態では、ＵＥが、容認可能セルにキャンプオンしている間、ＵＥは、定期的に、好適なセルの発見を試みる。
【００３８】
任意のセルへのキャンプオン状態にあるＵＥの選択肢の１つは、ＵＥが容認可能セルを検索することを防止しないようにするために、それらの状態にある優先順位低下を無視することである。
【００３９】
しかしながら、前述は、いくつかの問題につながり得る。
【００４０】
（起こり得るサービス供給停止）
３ＧＰＰ  ＴＳ  ３６．１３３，“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｒｅｑｕｉｒｅｍｅｎｔｓ  ｆｏｒ  ｓｕｐｐｏｒｔ  ｏｆ  ｒａｄｉｏ  ｒｅｓｏｕｒｃｅ  ｍａｎａｇｅｍｅｎｔ”（バージョン１１．２．０、２０１２年９月）によると、セル再選択は、以下を要求する。
ＵＥが、少なくともＴｈｉｇｈｅｒ＿ｐｒｉｏｒｉｔｙ＿ｓｅａｒｃｈ＝（６０＊Ｎｌａｙｅｒｓ）秒毎に、より高い優先度の全層を検索するものとし、Ｎｌａｙｅｒｓは、構成されたより高い優先度のＥ−ＵＴＲＡ、ＵＴＲＡ  ＦＤＤ、ＵＴＲＡ  ＴＤＤ、ＣＤＭＡ２０００１ｘ、およびＨＲＰＤ搬送波周波数の総数であり、加えて、ＧＳＭ（登録商標）周波数の１つ以上のグループが、より高い優先度として構成される場合、１増加される。
【００４１】
したがって、優先順位低下が要求される場合、現在の周波数は、瞬時に、最低優先度周波数となる。しかしながら、そのような優先度の低下は、ＵＥに、異なるより高い優先度の周波数を瞬時に再選択させない。実際は、監視すべき複数の周波数が存在するとき、優先順位低下後、ＵＥがより高い優先度の周波数を再選択するまでに長い時間がかかり得る。
【００４２】
この時間の間、ＵＥは、優先順位が低下された周波数を通して、ネットワークへのアクセスを試み続け得る。待ち時間は、次のアクセス試行を遅延させるために、ＲＲＣＣｏｎｎｅｃｔｉｏｎＲｅｊｅｃｔメッセージによって示され得るが、ＵＥが、依然として、その周波数上に留まる場合、時間が短過ぎて、ＵＥが、優先順位低下が要求された周波数にアクセスすることを防止することができない場合がある。ＵＥが、その周波数に再びアクセスすることを試みる場合、それは、再び拒否され、ＲＲＣＣｏｎｎｅｃｔｉｏｎＲｅｊｅｃｔは、再び、再試行のための待ち時間を含み得、そのような待ち時間は、最大１６秒となり得る。ＵＥにおける待ち時間は、ＵＥが、優先順位が低下されていない周波数における好適なセルを発見するまで、サービス供給停止をもたらす。
【００４３】
ある場合には、標的周波数は、システム情報、例えばシステム情報ブロック５（ＳＩＢ５）内に含まれる周波数のリストにインデックスを信号伝達することによって、ＲＲＣＣｏｎｎｅｃｔｉｏｎＲｅｊｅｃｔ内のネットワーク要素によって、ＵＥに提供され得る。しかしながら、任意の測定報告を伴わないそのような盲目的リダイレクトは、ＵＥが、例えば、基準信号受信電力（ＲＳＲＰ）または基準信号受信品質（ＲＳＲＱ）の観点から、良好な受信を有していない不良無線条件にＵＥを置くことになり得る。
【００４４】
リダイレクトされた周波数における好適なセルにキャンプオンすることをする試行は、したがって、示される周波数における不良無線条件により、ある程度時間がかかり得、サービス供給停止をもたらし得る。そのようなサービス供給停止は、好適なセルにキャンプオンすることを試みる間、ＵＥが緊急呼をかけること、または呼を受信することができないことにつながり得る。さらに、リダイレクトのために示される周波数は、ＵＥによってサポートされていない場合さえある。ＵＥが、サポートされていない周波数にリダイレクトされる場合、ＵＥは、現在の周波数に留まり得、また、サービス供給停止をもたらすであろう。
【００４５】
（ＰＬＭＮ変更後の優先順位低下継続）
前述に関する第２の問題は、現在の仕様書によると、優先順位低下が、ＰＬＭＮ変更後も継続することである。モバイルユーザは、タイマが、依然として、起動している間、その周波数またはＲＡＴ上の新しいＰＬＭＮ内に輻輳がない場合でも、その周波数またはＥ−ＵＴＲＡＮを使用できないこともある。
【００４６】
ＵＥが、新しいＰＬＭＮを選択するか、またはＰＬＭＮを変更すると、ほとんどの場合、優先順位が低下された第１のＰＬＭＮで使用中の搬送波周波数が、新しいＰＬＭＮにおいて使用される可能性は低い。しかしながら、第１のＰＬＭＮによって使用されるある周波数が、第２のＰＬＭＮによっても使用され得るいくつかのネットワーク共有状況が起こり得る。
【００４７】
ある場合には、第２のＰＬＭＮが同一の輻輳ｅＮＢまたはコアネットワークノードに依拠し得るので、その周波数の優先順位が低下されたままであることが適切であり得る。しかしながら、他の状況において、その周波数が、両ＰＬＭＮによって使用され得る。例えば、国境を越えるシナリオでは、同一の周波数が、境界の両側において、ＰＬＭＮのために使用され得る。この場合、周波数の優先度を低下させ続けることは不適切であり得る。
【００４８】
さらに、無線アクセス技術の優先順位低下に基づいて、全Ｅ−ＵＴＲＡ周波数の優先順位が低下される場合、ＵＥが、新しいＰＬＭＮ内で特定の無線アクセス技術を使用することができないこともあるため、これは、問題となり得る。例えば、３０分間、第１のＰＬＭＮ上において、ＬＴＥの優先順位が低下される場合、この場合、Ｔ３２５タイマが切れるまで、ＵＥが、事実上、異なるＲＡＴを使用するように強制されるので、第２のＰＬＭＮ上のＬＴＥの優先度を低下させ続けることは不適切であり得る。
【００４９】
（ＣＳＧセルとの優先度衝突の対処）
前述のように、ＣＳＧセルに対するセル再選択と周波数層の優先度における優先順位低下要求との間の衝突に対処するための方法の１つは、ＵＥ実装を通したものであり得る。ＵＥ実装は、優先順位低下が周波数に適用されている間、好適なＣＳＧセルが検出された周波数に最高または最低優先度を適用し得る。
【００５０】
衝突の対処が、ＵＥ実装に完全に任される場合、ネットワークは、優先順位が低下された周波数上のＣＳＧセル内に入るＵＥを制御することができない場合がある。例えば、ＣＳＧセルは、輻輳近隣マクロセルに干渉をもたらし、いくつかの展開シナリオでは、既に輻輳しているマクロセルの品質を悪化させ得る。これを防止するために、ネットワークは、本開示の一実施形態によると、ＣＳＧ周波数の優先度を低下させる手段を採用し得る。
【００５１】
さらに、ＲＲＣ接続モードでは、１つ以上のＲＲＣＣｏｎｎｅｃｔｉｏｎＲｅｊｅｃｔメッセージを発行するマクロセルによって、ＣＳＧセルのサービス供給周波数または他の周波数の優先順位が低下させられている場合、ＣＳＧセルが、一般に、マクロセルと緊密に協調されていないので、ＣＳＧセルは、依然として、ＵＥに、それらの周波数を測定することを要求し得る。ＵＥが、ＣＳＧセル適用範囲から出る場合、ＣＳＧセルは、次いで、優先順位が低下された周波数のうちの１つ上のマクロセルへのハンドオーバを開始し得る。
【００５２】
ソースＣＳＧセルからのハンドオーバ準備要求は、標的マクロｅＮＢによって拒否され得る。この場合、ＣＳＧセルは、ハンドオーバのための別の標的セルを発見するために、他の周波数の測定を開始し得る。しかしながら、ＵＥがＣＳＧ適用範囲を喪失しているので、これは、ハンドオーバの成功には遅過ぎ得る。さらに、測定のために選定された第２の周波数もまた、いくつかの実施形態では、優先順位が低下され得る。
【００５３】
さらに、ＲＲＣアイドルモードでは、ＵＥがそのＣＳＧセルを確認するときに、ＵＥが、最高優先度を優先順位が低下された周波数に与えると、ＵＥがマクロセルにアクセスする場合には、ＵＥがＣＳＧセルを出て、マクロセルに再入するとき、これはさらに、オーバーロード状況を悪化させ得る。他の周波数またはＲＡＴのセル再選択は、いくつかの実施形態では、ＵＥがＣＳＧセルから出ると、可能な限り迅速に行われるべきである。
【００５４】
（接続モードにあるＵＥに対する優先順位低下）
前述の優先順位低下メッセージは、輻輳周波数またはＲＡＴにキャンプオンしているアイドルモードＵＥに対処するためだけに使用される。ネットワークが、接続を解除するか、または再確立要求を拒否すると、ＵＥは、優先順位が低下された周波数またはＲＡＴにアクセスし得、輻輳を悪化させ得る。
【００５５】
ネットワークが、オーバーロード状態にあるとき、ネットワークは、ＲＲＣ接続の解除に応じて、輻輳周波数またはＲＡＴを回避するために、ＲＲＣ  Ｃｏｎｎｅｃｔｉｏｎ  Ｒｅｌｅａｓｅにおいて、リダイレクトされた搬送波情報または専用優先度を提供し得る。しかしながら、ＵＥは、さらなる再選択によって、輻輳周波数またはＲＡＴに戻り得るか、または専用優先度が、ＲＲＣ状態遷移に応じて除去され得る。例えば、専用優先度は、ＬＴＥにおけるＲＲＣ接続確立に応じて、除去され得る。その後、ＵＥは、ＵＴＲＡＮにハンドオーバされ得、ＵＴＲＡＮは、輻輳ＬＴＥ周波数に対してより低い優先度を提供しない場合がある。次いで、ＵＥは、輻輳ＬＴＥ周波数を再選択し得る。
【００５６】
（優先順位低下要求の取り消し）
ＵＥが、優先順位低下要求を受信すると、ＵＥは、優先順位低下の原因が、除去され得、関心周波数またはＲＡＴが、再び、使用のために利用可能となり得る場合でも、Ｔ３２５タイマを使用して、数え上げられる分数の間、周波数またはＲＡＴが優先順位が低下されていると考える。例えば、Ｔ３２５タイマは、３０分に設定され得るが、輻輳は、５分後に緩和され得る。この場合、ＵＥは、それが現時点でＵＥをサポートし得る場合でも、依然として、周波数は、優先順位が低下されていると考える。
【００５７】
さらに、アクティブ優先順位低下要求があっても、ＵＥは、ある場合には、優先順位が低下された周波数またはＲＡＴにキャンプオンする必要があり得る。例えば、好適なセルが、優先順位が低下された周波数上にのみ発見され得るとき、ＵＥは、その周波数のセルにキャンプオンするであろう。優先順位が低下された周波数のセルにキャンプオンしている間、より高い層の要求またはページングの受信に応じて、ＵＥは、ＲＲＣＣｏｎｎｅｃｔｉｏｎＲｅｑｕｅｓｔを伝送するであろう。
【００５８】
ネットワークが、要求を拒否しない場合、ＵＥは、ネットワークがもはや輻輳していないか、またはネットワークが輻輳中でも要求を承諾したかを把握していないため、ＵＥが優先順位低下要求を維持するか、または除去するかは不明である。一実施形態では、ＵＥは、ＲＲＣ接続要求が、優先順位が低下された周波数上で拒否されないとき、記憶された優先順位低下要求にどう対処すべきかを把握する必要があり得る。
【００５９】
前述の問題を克服するために、本開示は、種々の実施形態を提供する。
【００６０】
（起こり得るサービス供給停止を防止するためのより高速なセル再選択）
一実施形態では、優先順位低下要求の受信時、またはより高速なセル再選択が要求される任意のとき、ＵＥは、定期的に、セル再選択評価手順のために必要測定を行うことに加え、高から低優先度の順序において、システム情報内でリスト化され、ＵＥによってサポートされる周波数上の好適なセルの発見を試み得る。これは、セル再選択を高速化するために行われ得る。
【００６１】
一実施形態によると、ＵＥは、修正されたセル選択プロセスを利用するために、優先順位低下要求の受信に応じて、「任意のセルへのキャンプオン状態」であるかのように行動し、定期的に、その優先度が最低優先度より高い、システム情報内でリスト化された周波数上のセルの発見を試み得る。
【００６２】
さらに、優先順位低下がアクティブである間、「任意のセルへのキャンプオン」状態中は、ＵＥは、定期的に、好適なセルの発見を試みるとき、優先順位が低下された周波数またはＲＡＴを除外し得る。
【００６３】
代替として、ＵＥは、その絶対優先度が与えられ、優先順位が低下されていない全ＲＡＴのサポートされた周波数上の好適なセルを絶対優先度の順序で選択することを試み得る。
【００６４】
したがって、ＵＥは、優先順位低下要求の受信に応じて、ＵＥが任意のセルへのキャンプオン状態であると見なし、優先順位が低下されていない好適な周波数を発見し得る。ＵＥが、ある時間後、優先順位が低下されていない周波数またはＲＡＴ内で好適なセルを発見しない場合、ＵＥは、通常、現在の周波数にキャンプオンし得る。
【００６５】
一実施例では、前述を実装するために、３ＧＰＰ  ＴＳ  ３６．３０４仕様書の第５．２．９節は、以下の表３の太字に従って改正され得る。
【００６６】
【表３】
0005801016.tif 000004
【００６７】
上の表３に見られるように、セル選択評価プロセスを実行するトリガのうちの１つは、優先順位低下要求が記憶されているときである。さらに、上の表３に概略されるように、好適なセルを発見するための試行は、優先順位が低下される周波数またはＲＡＴを除外する。
【００６８】
任意のセルへのキャンプオン状態では、ＵＥは、ページングに応答し得、緊急呼をかけ得、したがって、サービス供給停止は、回避され得る。さらに、ＵＥは、優先順位が低下されていない周波数を除外することにより、定期的に、好適なセルの発見を試みることによって、優先順位が低下されない周波数またはＲＡＴ内で好適なセルをより高速に発見し得る。
【００６９】
ここで、ＵＥにおいて、前述を行うプロセスを示す、図１を参照する。図１のプロセスは、ブロック１１０から開始し、ブロック１１２に進み、優先順位低下要求が記憶されているかどうか決定するためにチェックされる。該当しない場合、プロセスは、ブロック１１２に戻り、ループを継続する。代替として、反復は、優先順位低下要求が記憶されてからある時間が経過した後、終了され得る。
【００７０】
優先順位低下要求が記憶されていると、プロセスは、ブロック１１４に進み、ＵＥは、好適なセルの発見を試み、優先順位が低下された周波数またはＲＡＴを除き、システム情報内でリスト化され、ＵＥによってサポートされる、全ＲＡＴの全周波数を試す一方、セル再選択評価手順のための必要測定を行う。
【００７１】
ブロック１１４から、プロセスは、ブロック１２０に進み、好適なセルが発見されたかどうかを決定するためにチェックされる。該当しない場合、プロセスは、ブロック１１２に戻り、好適なセルの発見を試みる。
【００７２】
ブロック１２０におけるチェックが、好適なセルが発見されたことを決定する場合、プロセスは、ブロック１２２に進み、ＵＥは、通常キャンプオン状態に移行し、次いで、ブロック１２４に進み、プロセスは、終了する。
【００７３】
代替実施形態では、ＵＥは、定期的に、好適なセルへのキャンプオンを試み、優先順位が低下された周波数またはＲＡＴを最低優先度と見なし、絶対優先度の順序において、ＵＥによってサポートされるＲＡＴの全周波数を試し得る。
【００７４】
３ＧＰＰＴＳ３６．３０４仕様書の第５．２．９節の修正の一実施例は、表４に関して以下に示される。
【００７５】
【表４】
0005801016.tif 000005
【００７６】
上の表４に見られるように、セル選択評価プロセスは、いくつかのトリガに基づいて実行され、表４は、そのようなセル再選択評価のためのトリガとして、優先順位低下要求の追加を示す。
【００７７】
さらに、表４に見られるように、ＲＡＴの周波数の優先順位が低下される場合、セル選択評価は、定期的に、好適なセルの発見を試み、優先順位が低下された周波数が最低優先度と見なされる、絶対優先度の順序において、システム情報内にリスト化され、ＵＥによってサポートされる全ＲＡＴの全周波数を試すことを含む。
【００７８】
ここで、図２を参照する。図２のプロセスは、ブロック２１０から開始し、ブロック２１２に進み、優先順位低下要求が記憶されているかどうかを決定するためにチェックされる。該当しない場合、プロセスは、ブロック２１２に戻る。
【００７９】
優先順位低下要求が記憶されている場合、プロセスは、ブロック２１４に進み、ＲＡＴの周波数の優先順位が低下されるとき、ＵＥは、好適なセルの発見を試み、セル再選択評価手順のための必要測定を行うことに加え、優先順位が低下された周波数が最低優先度と見なされる、絶対優先度の順序において、システム情報内にリスト化され、ＵＥによってサポートされる全ＲＡＴの全周波数を試す。
【００８０】
ブロック２１４から、プロセスは、ブロック２２０に進み、好適なセルが発見されたことを決定するためにチェックされる。該当する場合、プロセスは、ブロック２２２に進み、ＵＥは、通常キャンプオン状態に移行し、プロセスは、ブロック２２４に進み、終了する。
【００８１】
ブロック２２０から、好適なセルが発見されない場合、プロセスは、ブロック２１２に戻り、ループを継続し、好適なセルの発見を試みる。代替として、反復は、優先順位低下要求が記憶されてからある時間が経過した後、終了され得る。
【００８２】
さらなる代替実施形態では、修正されたセル選択評価とともに、任意のセルへのキャンプオン状態を適用する代わりに、優先順位低下要求の受信時、またはより高速なセル再選択が必要とされる場合、ＵＥが、最初に、現在の周波数上で好適なセルを発見した場合、ＵＥは、好適なセルに通常キャンプオンし、セル再選択評価を行い得る。加えて、ＵＥは、定期的に、好適なセルの発見を試み、ある期間の間、絶対優先度の順序において、サポートされ、優先順位が低下されていない全ＲＡＴの全周波数を試すことを開始し得る。本代替実施形態は、優先順位低下要求が受信されるときだけではなく、また、高速セル再選択が要求または所望されるときも利用され得る。
【００８３】
さらに代替実施形態は、例えば、以下の表５に示されるように、３ＧＰＰＴＳ３６．３０４の第５．２．４．１節を改正することによって、実現され得る。
【００８４】
【表５】
0005801016.tif 000006
【００８５】
表５に見られるように、太字の追加は、優先順位低下による優先度の変更に応じて、ＵＥが、定期的に、好適なセルの発見を試み、ある期間の間、優先度順序において、システム情報内にリスト化され、サポートされる全ＲＡＴの周波数を試すことを開始すべきことを示す。
【００８６】
ここで、図３を参照する。図３のプロセスは、ブロック３１０から開始し、ブロック３１２に進み、ＵＥは、優先順位低下による優先度の変更が生じたかどうかチェックする。該当しない場合、プロセスは、ブロック３１２に戻り、ループを継続する。
【００８７】
優先順位低下による優先度の変更が生じると、プロセスは、ブロック３２０に進み、ＵＥは、定期的に、好適なセルの発見を試み、ある期間の間、絶対優先度の順序において、システム情報内にリスト化され、サポートされる全ＲＡＴの周波数を試す一方、セル再選択評価のための必要測定を行う。
【００８８】
プロセスは、次いで、ブロック３２０からブロック３３０に進み、終了する。
【００８９】
したがって、前述の実施形態によると、高速再選択は、前述の図１から３に従って、システム情報内にリスト化された周波数上で好適なセルを発見することによって生じ得る。
【００９０】
（ＰＬＭＮ変更に応じた優先順位低下の対処）
さらなる実施形態では、ＵＥは、ＰＬＭＮ変更または選択に応じて、記憶された優先順位低下要求を破棄し、タイマＴ３２５を停止し得る。代替として、ＵＥは、近い将来、以前のＰＬＭＮに戻る可能性を考慮して、ＰＬＭＮ変更に応じて、優先順位低下要求または複数の要求を保留し、Ｔ３２５タイマを起動させ続け得る。
【００９１】
しかしながら、一実施形態では、無線アクセスネットワーク（ＲＡＮ）が、優先順位低下を要求した古いＰＬＭＮおよび新しいＰＬＭＮによって共有されるとき、ＵＥは、進化型ＮｏｄｅＢ（ｅＮＢ）が、依然として、その無線アクセスネットワーク上で輻輳している可能性を考慮して、優先順位低下要求を維持し、Ｔ３２５タイマを起動させ続け得る。
【００９２】
優先順位低下要求の受信に応じて、ＵＥは、優先順位低下要求とともに、セルのブロードキャストシステム情報、あるいは登録または選択されたＰＬＭＮの識別から読み取られた１つ以上のＰＬＭＮ識別を記憶し得る。ＰＬＭＮの選択に応じて、新しく選択されたＰＬＭＮが、記憶されたＰＬＭＮ識別のうちの１つである場合、ＵＥは、優先順位低下要求およびＴ３２５タイマを維持し得る。ＰＬＭＮの選択に応じて、新しく選択されたＰＬＭＮが、記憶されたＰＬＭＮ識別のうちの１つではない場合、ＵＥは、優先順位低下要求を解除し、Ｔ３２５タイマを停止するか、または優先順位低下要求を保留し、Ｔ３２５タイマを起動させ続け得る。
【００９３】
前述は、例えば、Ｅ−ＵＴＲＡまたはＬＴＥ  ＲＡＴの優先順位が低下される場合、または、１つ以上の周波数の優先順位が低下され、それらが新しいＰＬＭＮ内で利用可能かつＵＥによってサポートされる唯一のＬＴＥ周波数であり、したがって、事実上、ＬＴＥ  ＲＡＴの優先順位を低下させる別の場合に適用可能であり得る。
【００９４】
例えば、同一の周波数が複数のＰＬＭＮによって使用され得る、国境シナリオでは、前述は、単一周波数またはＲＡＴ全体の優先順位が低下される場合に適用可能であり得る。
【００９５】
一実施形態では、ＵＥは、ＵＥが選択された新しいＰＬＭＮの好適なセルにキャンプオンし、場所登録が新しいＰＬＭＮ内で成功した場合、優先順位低下要求（新しいＰＬＭＮおよび複数の優先順位低下要求が受信された場合、記憶されたＰＬＭＮに応じて、優先順位低下要求の全部または一部）を解除し、Ｔ３２５タイマを停止するか、または優先順位低下要求（新しいＰＬＭＮおよび複数の優先順位低下要求が受信された場合、記憶されたＰＬＭＮに応じて、優先順位低下要求の全部または一部）を保留し、Ｔ３２５タイマを起動させ続け得る。しかしながら、いくつかの事例では、ＵＥは、選択された新しいＰＬＭＮの好適なセルの発見を試みるか、あるいはホームＰＬＭＮまたは同等のＰＬＭＮではない新しく選択されたＰＬＭＮ内の任意のセル状態にキャンプオンし得る。この場合、ＵＥは、Ｔ３２５タイマに対して優先順位低下要求を維持または保留し得る。
【００９６】
優先順位低下要求を受信すると、ＰＬＭＮ選択に応じて、優先順位低下が維持、除去、保留、または再開されるべきかどうかの決定をサポートするために、ＵＥは、ＳｙｓｔｅｍＩｎｆｏｒｍａｔｉｏｎＢｌｏｃｋＴｙｐｅ１内でブロードキャストされたＰＬＭＮ識別のリスト、または優先順位低下要求とともに登録または選択されたＰＬＭＮのＰＬＭＮ識別を記憶し得る。例えば、３ＧＰＰ  ＴＳ  ３６．３３１仕様書の第５．３．３．８節は、以下の表６に従って改正され得る。
【００９７】
【表６】
0005801016.tif 000007
【００９８】
上の表６の太字に見られるように、優先順位低下要求の記憶は、現在のセルのＳｙｓｔｅｍＩｎｆｏｒｍａｔｉｏｎＢｌｏｃｋＴｙｐｅ１内で受信されたＰＬＭＮ識別リストあるいは優先順位低下要求の受信に応じて選択または登録されたＰＬＭＮの識別を記憶することを含む。ＰＬＭＮ識別リストあるいは優先順位低下要求の受信に応じて登録または選択されたＰＬＭＮを記憶することによって、ＵＥは、（１）選択された新しいＰＬＭＮが、優先順位低下要求を受信したＰＬＭＮと共有されるかどうか、あるいは（２）選択された新しいＰＬＭＮが、優先順位低下要求とともに受信されたものと同一または異なるかどうかを識別することができる。
【００９９】
さらに、ＰＬＭＮ選択に応じたＵＥ挙動は、以下の表７によって示されるように、３ＧＰＰ  ＴＳ  ３６．３０４仕様書の第５．２．４．１節における変更によって実現され得る。ｄｅ−ｐｒｉｏｒｉｔｉｚａｔｉｏｎＲｅｑの除去または保留は、ＲＲＣＣｏｎｎｅｃｔｉｏｎＲｅｊｅｃｔによって搬送されるｄｅ−ｐｒｉｏｒｉｔｉｚａｔｉｏｎＲｅｑ内に示され得る。
【０１００】
【表７】
0005801016.tif 000008
【０１０１】
上の表７の実施例に見られるように、ＵＥは、ＰＬＭＮ選択が、ネットワークアクセス階層（ＮＡＳ）による要求に応じて行われるとき、ＵＥが、選択されたＰＬＭＮの好適なセルを発見し、場所登録が正常に完了するとき、および（現時点で登録されている）ＰＬＭＮが、優先順位低下要求が受信されたときに記憶されたＰＬＭＮ内に含まれないとき（すなわち、記憶されたＰＬＭＮ識別リストあるいは登録または選択されたＰＬＭＮの記憶された識別）、優先順位低下要求（新しいＰＬＭＮおよび複数の優先順位低下要求が受信された場合の記憶されたＰＬＭＮに応じて、優先順位低下要求の全部または一部）を除去し、Ｔ３２５タイマを停止し得る。
【０１０２】
代替実施形態では、Ｔ３２５タイマを停止する代わりに、Ｔ３２５タイマは、起動され続け得、優先順位低下要求は、除去される代わりに、単に、保留されるだけであり得る。
【０１０３】
ここで、図４を参照する。図４のプロセスは、ブロック４１０から開始し、ブロック４１２に進み、ＵＥにおけるＰＬＭＮ選択が、ＮＡＳの要求時に行われるかどうかを決定するためにチェックされる。
【０１０４】
該当する場合、プロセスは、ブロック４２０に進み、ＵＥが、選択されたＰＬＭＮ内で好適なセルを発見することができ、ＵＥが、場所登録を正常に完了するかどうかを決定するためにチェックされる。
【０１０５】
該当する場合、プロセスは、ブロック４３０に進み、ＵＥは、新しいＰＬＭＮが、優先順位低下要求とともに記憶された任意のＰＬＭＮのうちの１つであるかどうか、すなわち、新しいＰＬＭＮが、優先順位低下要求が受信されたときに記憶されたＰＬＭＮリスト内にある、あるいは優先順位低下要求が受信されたときに記憶された選択または登録されたＰＬＭＮであるかどうかをチェックする。ブロック４３０におけるチェックが、新しいＰＬＭＮが、優先順位低下要求とともに記憶された任意のＰＬＭＮのうちの１つではないことを発見する場合、プロセスは、ブロック４４０に進み、優先順位低下要求は、除去されるか、または保留されるかのいずれかとなる。
【０１０６】
ブロック４４０から、プロセスは、随意に、ブロック４４２に進み得、タイマＴ３２５は、前述の実施形態に従って停止され得る。ブロック４４０から（タイマが停止されない場合）、またはブロック４４２から、プロセスは、次いで、ブロック４５０に進み、終了する。
【０１０７】
さらに、チェックが該当しない場合、ブロック４１２、４２０から、または選択されたＰＬＭＮが記憶されたリスト内にあると決定される場合、ブロック４３０から、プロセスは、ブロック４５０に進み、終了する。
【０１０８】
タイマを停止し、優先順位低下を除去するのではなく、プロセスが、優先順位低下を保留し、タイマが継続することを可能にする場合、優先順位低下を再開する方法が、追加され得る。ここで、３ＧＰＰ  ＴＳ３６．３０４仕様書の例示的変更を示す、以下の表８を参照する。
【０１０９】
【表８】
0005801016.tif 000009
【０１１０】
上の表８に見られるように、ＵＥが、優先順位低下要求が保留されている間に、優先順位低下要求が受信された古いＰＬＭＮ、または無線アクセスネットワークまたはコアネットワークを古いＰＬＭＮと共有するＰＬＭＮのうちの１つに戻る場合、ｄｅｒｐｒｉｏｒｉｔｉｓａｔｉｏｎＲｅｑの適用が、再開される。
【０１１１】
具体的には、ＵＥが、ＮＡＳの要求に応じて行われた選択に基づいて、古いＰＬＭＮに戻り、好適なセルが発見され、登録がＰＬＭＮ内で成功し、ＰＬＭＮが、優先順位低下要求とともに記憶されたＰＬＭＮのうちの１つである（ＵＥが、その優先順位低下要求が受信された古いＰＬＭＮまたはそのネットワークが古いＰＬＭＮによって共有されるＰＬＭＮに戻ることを意味する）場合、ＵＥは、優先順位低下（新しいＰＬＭＮおよび複数の優先順位低下要求が受信された場合の記憶されたＰＬＭＮに応じて、優先順位低下要求の全部または一部）の適用を再開することができる。
【０１１２】
（ＣＳＧセル優先度との衝突の対処）
一実施形態では、ＣＳＧ周波数の優先順位低下に対処するために、ＣＳＧセルは、ＵＥ挙動に任せずに、ＣＳＧセルに対しても完全に、ネットワークが現在の周波数またはＲＡＴの優先順位を低下させることを所望するとき、優先順位低下要求を伴うＲＲＣ接続要求を拒否し得る。
【０１１３】
要求の受信に応じて、ＵＥは、優先順位低下要求がＣＳＧセル内で受信されたことを記憶し、Ｔ３２５タイマが起動している限り、優先順位低下要求のタイプに応じて、その周波数またはＥ−ＵＴＲＡ上のＣＳＧセルにも、優先順位低下の適用を開始し得る。一実施形態では、ＵＥは、Ｔ３２５タイマを始動または再始動させるか、あるいはＴ３２５タイマを継続させ得る。
【０１１４】
したがって、ＣＳＧセルからの優先順位低下要求の受信に応じて、ＵＥは、ｄｅ−ｐｒｉｏｒｉｔｉｚａｔｉｏｎＲｅｑおよびＰＬＭＮ識別リストあるいは選択または登録されたＰＬＭＮの識別に加え、「ＣＳＧ優先順位低下指示」を記憶する。ＣＳＧ優先順位低下指示が記憶されている場合、ＵＥは、優先順位低下を好適なＣＳＧセルが検出された周波数に適用する。ＣＳＧ優先順位低下指示が記憶されていない場合、ＵＥは、ＣＳＧセルを再選択し得る。
【０１１５】
ここで、図５を参照する。図５のプロセスは、ブロック５１０から開始し、ブロック５１２に進み、優先順位低下要求が、ＣＳＧセルから受信され、ＵＥに記憶されたかどうかを決定するためにチェックされる。
【０１１６】
ブロック５１２におけるチェックが、優先順位低下要求がＣＳＧセルから受信されたことを発見する場合、プロセスは、次いで、ブロック５２０に進み、ＵＥは、優先順位低下を好適なＣＳＧセルが検出された周波数に適用する。
【０１１７】
逆に言えば、ブロック５１２から、優先順位低下要求が、ＣＳＧセルから受信されなかった場合、プロセスは、ブロック５３０に進み、ＵＥは、優先順位低下を好適なＣＳＧセルが検出された周波数に適用しない。
【０１１８】
ブロック５２０および５３０から、プロセスは、ブロック５４０に進み、終了する。
【０１１９】
さらなる実施形態に関して、ＲＲＣ接続モードにある場合、ＵＥは、ＵＥが現在の周波数またはＲＡＴに対する優先順位低下要求を記憶しているかどうかをＣＳＧセルに示し得るか、あるいはＵＥは、優先順位が低下されていない他の周波数またはＲＡＴの測定構成のための要求を示し得る。
【０１２０】
そのような指示の受信に応じて、ＣＳＧセルは、ＵＥ能力および提供される情報に従って、周波数間またはＲＡＴ間測定を構成し得る。したがって、例えば、ＣＳＧセルは、優先順位が低下されていない周波数上で測定を構成するか、または異なるＲＡＴに対して、より良好なハンドオーバ決定のために、優先順位が低下された周波数を回避するように構成し得る。
【０１２１】
一実施形態では、ＵＥからの指示は、優先順位が低下された周波数またはＲＡＴのリストを含み得る。
【０１２２】
一実施形態では、優先順位が低下されていない周波数またはＲＡＴの測定を構成するためのＣＳＧセルへの要求は、ＣＳＧセルへのインバウンドハンドオーバの場合、ＲＲＣＣｏｎｎｅｃｔｉｏｎＣｏｎｆｉｇｕｒａｔｉｏｎＣｏｍｐｌｅｔｅメッセージ内において、およびＣＳＧセル内で新しい接続を設定する場合、ＲＲＣＣｏｎｎｅｃｔｉｏｎＳｅｔｕｐＣｏｍｐｌｅｔｅメッセージ内において、優先順位が低下された周波数またはＲＡＴのリストを提供することによって、示され得る。ＵＥは、ＵＥが、ＣＳＧセルからの測定構成要求に応答して、優先順位が低下されていない周波数に対する測定構成を有していないとき、メッセージ内に優先順位が低下された周波数またはＲＡＴのリストを含み得る。
【０１２３】
ここで、ＣＳＧセル６１２と通信するＵＥ６１０を示す、図６を参照する。図６の実施形態に見られるように、ＵＥ６１０は、矢印６２０のメッセージ内に優先順位が低下された周波数の指示を提供する。前述のように、メッセージは、ＲＲＣＣｏｎｎｅｃｔｉｏｎＣｏｎｆｉｇｕｒａｔｉｏｎＣｏｍｐｌｅｔｅまたはＲＲＣＣｏｎｎｅｃｔｉｏｎＳｅｔｕｐＣｏｍｐｌｅｔｅメッセージであり得、指示は、優先順位が低下された周波数またはＲＡＴのリストであり得る。代替として、単一ビットが、現在の周波数またはＲＡＴの優先順位が低下されていることを示し得る。
【０１２４】
矢印６２０のメッセージを受信すると、ＣＳＧ６１２は、次いで、ＵＥ能力に基づいて、ＲＡＴ間またはＲＡＴ内測定を構成し、矢印６２２によって示されるように、そのような測定構成をＵＥに提供することができる。測定構成は、ＲＲＣＣｏｎｎｅｃｔｉｏｎＲｅｃｏｎｆｉｇｕｒａｔｉｏｎメッセージ内に含まれ得る。
【０１２５】
さらなる実施形態では、ＣＳＧセルからマクロセルへの再入に関して、アイドルモードＵＥが、ＣＳＧ周波数の優先順位を低下させたマクロセルからＣＳＧセルに入る場合、ＵＥは、Ｔ３２５タイマを起動させ続けることができるが、その周波数を最高優先度とみなす。Ｔ３２５タイマが起動している間、ＵＥがＣＳＧセルから出ると、優先順位が低下された周波数を最低として再構成する。
【０１２６】
可能な限り迅速に他の周波数またはＲＡＴを再選択するために、ＵＥは、サービス供給ＣＳＧセルが好適ではなくなり、サービス供給周波数が、優先順位が低下されている場合、前述のようなセル再選択手順のための必要測定を行うことに加え、定期的に、高優先度から低優先度の順序において、システム情報内にリスト化され、ＵＥによってサポートされる周波数上の好適なセルの発見を試み得る。代替として、ＵＥは、図１から３に関して前述のように、優先度の順序において、定期的に、好適なセルの発見を試み得る。
【０１２７】
（接続モードにあるＵＥの対処）
さらなる実施形態では、接続モードに対する優先順位低下を提供し、ＵＥが、アイドルモードにもどるとき、優先順位が低下された周波数またはＲＡＴを再選択しないようにするために、ネットワークは、優先順位低下要求および関連付けられたタイマをＲＲＣＣｏｎｎｅｃｔｉｏｎＲｅｌｅａｓｅメッセージ内に示し得る。
【０１２８】
無線リンク失敗の場合、ＵＥは、無線リンク失敗が検出された周波数上で好適なセルを発見する可能性が高い。周波数または無線アクセス技術が輻輳している場合、ネットワークは、再確立要求を拒否し、優先順位低下要求を示し得る。
【０１２９】
優先順位が低下された周波数またはＲＡＴは、セル選択プロセスにおいて検討されない場合がある。したがって、ＵＥは、ＲＲＣＣｏｎｎｅｃｔｉｏｎＲｅｌｅａｓｅまたはＲＲＣＲｅｅｓｔａｂｌｉｓｈｍｅｎｔＲｅｊｅｃｔを受信すると、セル選択において、優先順位が低下された周波数またはＲＡＴを選択し得る。次いで、ＵＥは、他の周波数を再選択し得る。
【０１３０】
優先順位が低下された周波数の選択は、ＵＥが、通常、接続モードで使用された周波数上のセルを選択するので、頻繁に起こり得る。そのような場合を回避するために、ＵＥは、セル選択プロセスにおいて、優先順位が低下された周波数またはＲＡＴを最下位と見なし得る。
【０１３１】
したがって、アイドルモード遷移時、ＵＥは、キャンプオンされたＲＡＴに関係なくＴ３２５タイマが起動している間、優先順位が低下された周波数の全てを最低優先度周波数と見なし得る。
【０１３２】
アイドルモードに戻ると、優先順位が低下された周波数またはＲＡＴをセル選択において考慮するために、ＵＥは、セル選択プロセスにおいて、優先順位が低下された周波数またはＲＡＴを最終候補と見なし得る。除外が、３ＧＰＰＴＳ３６．３０４仕様書の第５．２．７節の変更を通して実装され得る。ここで、以下の表９を参照する。
【０１３３】
【表９】
0005801016.tif 000010
【０１３４】
したがって、上の表９に見られるように、太字が追加され、示されるＲＡＴ内において、ＵＥが、優先順位が低下された周波数の好適なセルではなく、優先順位が低下されていない周波数の好適なセルにキャンプオンするものとすることを示す。
【０１３５】
特に、表９に追加された文章に関して、接続モードにあるＵＥは、接続状態から出て、優先順位が低下された周波数の指示を提供するとき、メッセージを受信し得、ＵＥは、優先順位が低下された周波数へのキャンプオンに先立って、優先順位が低下されていない周波数上の好適なセルの発見を試みるべきである。
【０１３６】
（優先順位低下要求の取り消し）
一実施形態では、ネットワーク要素からの専用信号伝達が、周波数の優先順位低下の取り消しを示し得る。他の実施形態では、ＵＥは、優先順位が低下された周波数を測定することによって、優先順位低下が取り消されるべきであるかどうかを決定し得る。
【０１３７】
具体的には、優先順位低下要求を伴うＲＲＣＣｏｎｎｅｃｔｉｏｎＲｅｊｅｃｔを受信後、ＵＥは、他の周波数またはＲＡＴを再選択し、接続を確立し得る。
【０１３８】
その他の周波数またはＲＡＴ上で接続モードに入った後、ネットワークが、輻輳問題がもはや存在しないことを把握する場合、ネットワークは、ＵＥを、優先順位が低下された周波数またはＲＡＴにハンドオーバして戻し得る。ハンドオーバコマンドまたはＲＲＣＣｏｎｎｅｃｔｉｏｎＲｅｃｏｎｆｉｇｕｒａｔｉｏｎメッセージ内において、ネットワークは、優先順位低下要求の取り消しを示し得る。
【０１３９】
さらなる実施形態では、ネットワークが、輻輳問題がもはや存在しないことを把握する場合、ネットワークは、ＵＥを、優先順位が低下された周波数またはＲＡＴにリダイレクトし得る。リダイレクトを含むＲＲＣＣｏｎｎｅｃｔｉｏｎＲｅｌｅａｓｅメッセージ内において、ネットワークは、優先順位低下要求の取り消しを示し得る。
【０１４０】
一実施形態では、ネットワークは、ＵＥが、優先順位低下要求を解除、継続、または設定し得るかどうかを示し得る。優先順位低下要求は、解除、継続、または設定するための定義を含むように拡張され得る。ここで、表１０を参照する。
【０１４１】
【表１０】
0005801016.tif 000011
【０１４２】
表１０の太字に見られるように、現在、３ＧＰＰＴＳ３６．３３１仕様書にあるものの上部に追加された追加の要素は、優先順位低下要求の解除、継続、または設定のための指示を提供する。
【０１４３】
上の表１０内の情報要素は、ＲＲＣＣｏｎｎｅｃｔｉｏｎＳｅｔｕｐ、一実施形態では、ＲＲＣＣｏｎｎｅｃｔｉｏｎＲｅｃｏｎｆｉｇｕｒａｔｉｏｎ、ＲＲＣＣｏｎｎｅｃｔｉｏｎＲｅ−ｅｓｔａｂｌｉｓｈｍｅｎｔＲｅｊｅｃｔ、およびＲＲＣＣｏｎｎｅｃｔｉｏｎＲｅｌｅａｓｅメッセージ内に含まれ得る。
【０１４４】
ネットワークが、優先順位が低下された周波数上のＲＲＣ接続のための要求を拒否しない場合、いくつかの実施形態では、ＲＲＣＣｏｎｎｅｃｔｉｏｎＳｅｔｕｐメッセージは、ＵＥが、優先順位低下要求を除去、継続、または更新すべき場合を示し得る。いくつかの実施形態では、前述のソリューションは、輻輳ノードと、ある場合には、利用不可能であり得る、優先順位が低下された周波数またはＲＡＴからＵＥを受け入れるノードとの間のネットワーク協調を要求し得る。
【０１４５】
代替として、ＵＥは、優先順位低下要求を伴うＲＲＣ接続拒否に応じて、受信信号強度インジケータ（ＲＳＳＩ）閾値が提供され得る。ＲＳＳＩは、システム負荷レベルを示し得、システムが輻輳している場合、ＲＳＳＩは、より高くなり得る。したがって、ＵＥは、優先順位が低下された周波数またはＲＡＴのＲＳＳＩを測定し得、ある期間にわたって測定または平均化された測定が、閾値未満である場合、ＵＥは、記憶された優先順位低下要求を取り消し、Ｔ３２５タイマを停止し得る。
【０１４６】
したがって、優先順位低下要求は、上の表１０に提供されるように、ＲＳＲＰまたは経路損失の観点から、各周波数上の最良セルのＲＳＳＩ測定がＲＳＳＩ閾値未満である場合、優先順位低下が、依然として、各優先順位低下周波数に適用可能であるかどうかをＵＥが決定し得るように、ＲＳＳＩ閾値を有するように拡張され得る。
【０１４７】
前述は、したがって、ネットワーク要素とＵＥとの間の優先順位低下要求の改良を提供する。
【０１４８】
上記は、任意のネットワーク要素によって実装され得る。簡略化されたネットワーク要素が、図７に関して示されている。
【０１４９】
図７では、ネットワーク要素７１０は、プロセッサ７２０と、通信サブシステム７３０とを含み、プロセッサ７２０および通信サブシステム７３０は、上記で説明される方法を行うように協働する。
【０１５０】
さらに、上記は、任意のＵＥによって実装され得る。１つの例示的なデバイスが、図８に関して以下で説明される。
【０１５１】
ＵＥ８００は、典型的には、音声およびデータ通信能力を有する、双方向無線通信デバイスである。ＵＥ８００は、概して、インターネット上で他のコンピュータシステムと通信する能力を有する。提供される正確な機能性に応じて、ＵＥは、実施例として、データメッセージングデバイス、双方向ポケットベル、無線Ｅメールデバイス、データメッセージング能力を伴う携帯電話、無線インターネットアプライアンス、無線デバイス、モバイルデバイス、またはデータ通信デバイスと呼ばれ得る。
【０１５２】
ＵＥ８００が双方向通信に使用可能である場合、受信機８１２および伝送機８１４、ならびに１つ以上のアンテナ要素８１６および８１８、局部発振器（ＬＯ）８１３、デジタル信号プロセッサ（ＤＳＰ）８２０等の処理モジュール等の関連構成要素を含む、通信サブシステム８１１を組み込み得る。通信の分野の当業者に明白となるように、通信サブシステム８１１の特定の設計は、デバイスが動作することを目的としている、通信ネットワークに依存するであろう。
【０１５３】
ネットワークアクセス要件もまた、ネットワーク８１９のタイプに応じて変化するであろう。いくつかのネットワークでは、ネットワークアクセスは、ＵＥ８００の加入者またはユーザに関連付けられる。ＵＥは、例えば、リムーバブルユーザ識別モジュール（ＲＵＩＭ）または加入者識別モジュール（ＳＩＭ）カードを必要とし得る。ＳＩＭ／ＲＵＩＭインターフェース８４４は、通常、ＳＩＭ／ＲＵＩＭカードを挿入して取り出すことができる、カードスロットと同様である。ＳＩＭ／ＲＵＩＭカードは、メモリを有し、多くの主要構成８５１、ならびに識別および加入者関連情報等の他の情報８５３を保持することができる。
【０１５４】
必要ネットワーク登録または起動プロシージャが完了した時に、ＵＥ８００は、ネットワーク８１９上で通信信号を送信および受信し得る。図８に図示されるように、ネットワーク８１９は、ＵＥと通信する複数の基地局から成ることができる。
【０１５５】
通信ネットワーク８１９を通してアンテナ８１６によって受信される信号は、信号増幅、周波数下方変換、フィルタリング、チャネル選択等の共通受信機機能を果たし得る、受信機８１２に入力される。受信信号のアナログ・デジタル（Ａ／Ｄ）変換は、復調および復号等のより複雑な通信機能が、ＤＳＰ８２０において果たされることを可能にする。同様に、例えば、Ｄ／Ａ変換、周波数上方変換、フィルタリング、増幅、およびアンテナ８１８を介した通信ネットワーク８１９上の伝送のために伝送機８１４に入力される、ＤＳＰ８２０による変調および符号化を含む、伝送される信号が処理される。ＤＳＰ８２０は、通信信号を処理するだけでなく、受信機および伝送機制御も提供する。例えば、受信機１７１２および伝送機８１４において通信信号に印加される利得は、ＤＳＰ８２０において実装される自動利得制御アルゴリズムを通して、適応的に制御され得る。
【０１５６】
ＵＥ８００は、概して、デバイスの全体的動作を制御するプロセッサ８３８を含む。データおよび音声通信を含む、通信機能は、通信サブシステム８１１を通して果たされる。プロセッサ８３８はまた、ディスプレイ８２２、フラッシュメモリ８２４、ランダムアクセスメモリ（ＲＡＭ）８２６、補助入力／出力（Ｉ／Ｏ）サブシステム８２８、シリアルポート８３０、１つ以上のキーボードまたはキーパッド８３２、スピーカ８３４、マイクロホン８３６、短距離通信サブシステム等の他の通信サブシステム８４０、および概して８４２と指定される任意の他のデバイスサブシステム等のさらなるデバイスサブシステムと相互作用する。シリアルポート８３０は、ＵＳＢポートまたは当業者に公知である他のポートを含むことができる。
【０１５７】
図８に示されるサブシステムのうちのいくつかが、通信関連機能を果たす一方で、他のサブシステムは、「常駐」またはオンデバイス機能を提供し得る。顕著に、例えば、キーボード８３２およびディスプレイ８２２等のいくつかのサブシステムが、通信ネットワーク上で伝送するためにテキストメッセージを入力すること等の通信関連機能および計算機またはタスクリスト等のデバイス常駐機能の両方に使用され得る。
【０１５８】
プロセッサ８３８によって使用されるオペレーティングシステムソフトウェアは、代わりに読み取り専用メモリ（ＲＯＭ）または同様の記憶要素（図示せず）となり得る、フラッシュメモリ８２４等の永続記憶部に記憶され得る。当業者であれば、オペレーティングシステム、特定のデバイスアプリケーション、またはそれらの複数部分が、ＲＡＭ８２６等の揮発性メモリに一時的にロードされ得ることを理解するであろう。受信した通信信号もまた、ＲＡＭ８２６に記憶され得る。
【０１５９】
示されるように、フラッシュメモリ８２４は、コンピュータプログラム８５８とプログラムデータ記憶８５０、８５２、８５４、および８５６との両方のための異なる領域に分離され得る。これらの異なる記憶タイプは、各プログラムが、独自の記憶要件のために、フラッシュメモリ８２４の一部分を割り付けることができることを示す。プロセッサ８３８は、そのオペレーティングシステム機能に加えて、ＵＥ上でのソフトウェアアプリケーションの実行を可能にし得る。例えば、少なくともデータおよび音声通信アプリケーションを含む、基本動作を制御する所定の一組のアプリケーションが、通常、製造中にＵＥ８００上にインストールされるであろう。他のアプリケーションを、後に、または動的にインストールすることができる。
【０１６０】
アプリケーションおよびソフトウェアは、任意のコンピュータ読み取り可能な記憶媒体上に記憶され得る。コンピュータ読み取り可能な記憶媒体は、光学（例えば、ＣＤ、ＤＶＤ等）、磁気（例えば、テープ）、または当技術分野で公知である他のメモリ等の、有形または一過性／非一過性の媒体であり得る。
【０１６１】
１つのソフトウェアアプリケーションは、Ｅメール、カレンダーイベント、音声メール、予約、およびタスク項目等であるが、それらに限定されない、ＵＥのユーザに関するデータ項目を組織化して管理する能力を有する、個人情報マネージャ（ＰＩＭ）アプリケーションであり得る。当然ながら、１つ以上のメモリ記憶が、ＰＩＭデータ項目の記憶を促進するためにＵＥ上で利用可能であり得る。そのようなＰＩＭアプリケーションは、無線ネットワーク８１９を介してデータ項目を送信および受信する能力を有し得る。さらなるアプリケーションもまた、ネットワーク８１９、補助Ｉ／Ｏサブシステム８２８、シリアルポート８３０、短距離通信サブシステム８４０、または任意の他の好適なサブシステム８４２を通してＵＥ８００上にロードされ、プロセッサ８３８による実行のためにユーザによってＲＡＭ８２６または不揮発性記憶部（図示せず）にインストールされ得る。アプリケーションのインストールにおけるそのような融通性が、デバイスの機能性を増加させ、強化されたオンデバイス機能、通信関連機能、または両方を提供し得る。例えば、安全通信アプリケーションは、電子商取引機能および他のそのような金融取引が、ＵＥ８００を使用して果たされることを可能にし得る。
【０１６２】
データ通信モードでは、テキストメッセージまたはウェブページダウンロード等の受信した信号が、通信サブシステム８１１によって処理され、ディスプレイ８２２に、または代替として補助Ｉ／Ｏデバイス８２８に出力するために受信した信号をさらに処理し得る、プロセッサ８３８に入力されるであろう。
【０１６３】
ＵＥ８００のユーザはまた、ディスプレイ８２２およびおそらく補助Ｉ／Ｏデバイス８２８と併せて、例えば、とりわけ、完全英数字キーボードまたは電話タイプキーパッドとなり得る、キーボード８３２を使用して、Ｅメールメッセージ等のデータ項目を作成し得る。次いで、そのような作成された項目は、通信サブシステム８１１を通して通信ネットワーク上で伝送され得る。
【０１６４】
音声通信については、受信した信号が、典型的には、スピーカ８３４に出力され得、伝送するための信号が、マイクロホン８３６によって生成され得ることを除いて、ＵＥ８００の全体的動作は同様である。音声メッセージ録音サブシステム等の代替的な音声またはオーディオＩ／Ｏサブシステムもまた、ＵＥ８００上に実装され得る。音声またはオーディオ信号出力は、概して、主にスピーカ８３４を通して達成されるが、ディスプレイ８２２もまた、例えば、発呼者の識別、音声通話の持続時間、または他の音声通話関連情報の指示を提供するために使用され得る。
【０１６５】
図８のシリアルポート８３０は、通常、ユーザのデスクトップコンピュータ（図示せず）との同期が望ましくあり得る、携帯情報端末（ＰＤＡ）型ＵＥにおいて実装され得るが、随意的なデバイス構成要素である。そのようなポート８３０は、ユーザが外部デバイスまたはソフトウェアアプリケーションを通して選好を設定することを可能にし得、無線通信ネットワークを通す以外で、情報またはソフトウェアダウンロードをＵＥ８００に提供することによって、ＵＥ８００の能力を拡張し得る。例えば、直接的であるが確実で信頼された接続を通して、暗号キーをデバイス上にロードし、それにより、安全なデバイス通信を可能にするために、代替的なダウンロード経路が使用され得る。当業者によって理解されるように、シリアルポート８３０はさらに、ＵＥをコンピュータに接続してモデムの役割を果たすために使用することができる。
【０１６６】
短距離通信サブシステム等の他の通信サブシステム８４０は、ＵＥ８００と、異なるシステム、または必ずしも同様のデバイスである必要がないデバイスとの間で通信を提供し得る、さらなる随意的な構成要素である。例えば、サブシステム８４０は、同様に使用可能なシステムおよびデバイスとの通信を提供するように、赤外線デバイスならびに関連回路および構成要素、またはＢｌｕｅｔｏｏｔｈ（登録商標）通信モジュールを含み得る。サブシステム８４０はさらに、ＷｉＦｉまたはＷｉＭＡＸ、または近距離無線通信（ＮＦＣ）等の非セルラー通信を含み得る。
【０１６７】
本明細書で説明される実施形態は、本願の技法の要素に対応する要素を有する、構造、システム、または方法の実施例である。本明細書は、当業者が、同様に本願の技法の要素に対応する代替要素を有する、実施形態を作製および使用することを可能にし得る。したがって、本願の技法の意図された範囲は、本明細書で説明されるような本願の技法と異ならない、他の構造、システム、または方法を含み、さらに、本明細書で説明されるような本願の技法とのごくわずかな差異がある、他の構造、システム、または方法を含む。
【図１】
0005801016.tif 000012
【図２】
0005801016.tif 000013
【図３】
0005801016.tif 000014
【図４】
0005801016.tif 000015
【図５】
0005801016.tif 000016
【図６】
0005801016.tif 000017
【図７】
0005801016.tif 000018
【図８】
0005801016.tif 000019